(57)【特許請求の範囲】
【請求項１】
繊維束をドラフトするドラフト装置と、
繊維束にコア繊維としての弾性糸を供給する弾性糸供給装置と、
弾性糸と繊維束とを導入しそれらに旋回空気流を作用させてコアヤーンを生成する空気紡績装置と、
該空気紡績装置の下流側に配設される糸送り装置と、
該糸送り装置から出たコアヤーンを巻き取る巻取装置と、
紡出側のコアヤーンと巻取側のコアヤーンとを糸継ぎするための糸継装置と、
を有するコアヤーン製造装置において、
前記空気紡績装置から排出された糸を引き出して前記糸継装置に導くための引出装置と、
該引出装置内の糸の存在を検出する検出装置と、
該検出装置の検出結果に基づいて前記弾性糸供給装置による弾性糸の供給を制御する制御装置と、
を備えたことを特徴とする、コアヤーン製造装置。
【請求項２】
繊維束をドラフトするドラフト装置と、
繊維束にコア繊維としての弾性糸を供給する弾性糸供給装置と、
弾性糸と繊維束とを導入しそれらに旋回空気流を作用させてコアヤーンを生成する空気紡績装置と、
該空気紡績装置の下流側に配設される糸送り装置と、
該糸送り装置から出たコアヤーンを巻き取る巻取装置と、
紡出側のコアヤーンと巻取側のコアヤーンとを糸継ぎするための糸継装置と、
を有するコアヤーン製造装置において、
前記空気紡績装置から排出された糸を引き出して前記糸継装置に導くための引出装置と、
該引出装置により引き出された糸が前記糸送り装置による送り力を付与された状態で前記糸を検出する検出装置と、
該検出装置の検出結果に基づいて前記弾性糸供給装置による弾性糸の供給を制御する制御装置と、
を備えたことを特徴とする、コアヤーン製造装置。
【請求項３】
前記引出装置は移動自在な吸引管であり、前記検出装置は、該吸引管の吸引経路内で糸の有無を検出するものであることを特徴とする、請求項１又は請求項２に記載のコアヤーン製造装置。
【請求項４】
前記弾性糸供給装置はエアサッカー装置とクランプカッター装置とを具備するとともに、
前記制御装置は、弾性糸の供給を開始する際には、前記エアサッカー装置が作動してから所定時間経過後に、クランプカッター装置による弾性糸の把持を開放するように制御することを特徴とする、
請求項１から請求項３までのうちいずれか一項に記載のコアヤーン製造装置。
【請求項５】
前記弾性糸供給装置は、弾性糸の給糸巻糸体に接触して回転する繰出ローラを備え、
前記制御装置は、弾性糸の供給を開始する際、クランプカッターによる弾性糸の把持開放と略同時に繰出ローラによる弾性糸の繰出しを開始するように制御することを特徴とする、
請求項４に記載のコアヤーン製造装置。
【請求項６】
前記空気紡績装置は、中空ガイド軸体と、該中空ガイド軸体の先端部に旋回空気流を発生させるノズル部材とを備え、中空ガイド軸体の糸通路に先端側から弾性糸及び繊維束を供給しながら、ノズルによる旋回空気流を作用させてコアヤーンを生成することを特徴とする、
請求項１から請求項５までのうちいずれか一項に記載のコアヤーン製造装置。
【発明の詳細な説明】
【０００１】
【発明の属する技術分野】
本発明は、コア繊維として弾性糸、即ちスパンデックスを用い、該弾性糸の周囲に繊維束を構成するファイバを巻き付かせた状態の、カバーリング・スパンデックス・コアヤーン（以降はコアヤーンと称する）の製造装置について、運転の自動化を行わせる技術に関するものである。
【０００２】
【従来の技術】
コア繊維に弾性糸を用いたコアヤーンを製造する製造装置としては、いわゆるリング精紡機が従来から知られている。このリング精紡機の紡績速度は、一般に毎分約２０メートル程度である。
そこで、紡績速度を高速化するものとして、前記リング精紡機に比して約１０倍程度の高速紡績を実現できる空気式の紡績技術が公知とされている。このような空気紡績機において、弾性糸をコア繊維とするコアヤーンを製造するためのコアヤーン製造装置としては、特許第２７３４８０５号や、特許第２８６２１０７号の技術が公知とされている。
【０００３】
【発明が解決しようとする課題】
しかし、従来の技術に係る、弾性糸を用いたコアヤーンの製造装置において、特許第２７３４８０５号に記載の装置は、弾性糸をマニュアル操作にて空気紡績ノズルに通すものであり、何らかの事情により運転をいったん停止した場合に、紡出側のコアヤーンと巻取側のコアヤーンとを自動的に糸継ぎして再度運転を開始することができない。即ち、スラブが発生してカッターにより糸を切断した場合は、毎回オペレータが手動で弾性糸を供給する必要がある。
【０００４】
特許第２８６２１０７号公報においては、ドラフト装置のフロントローラ上流側から弾性糸が自動的に供給される構成について具体的な開示がある。しかしながら、糸継ぎにおける他の動作（弾性糸供給動作以外の動作）については、全く開示されていないのである。即ち、スライバ供給開始タイミングと弾性糸供給開始タイミングとの関係について、同号公報には全く記載されていないのである。
この場合、例えば糸継ぎ時において、スライバが正常に走行していない状態で弾性糸が供給されると、弾性糸が紡績ノズル内で詰まってしまう可能性がある。このような事態が発生すると自動的な再開ができなくなる。また、紡績開始時の糸出し（スライバから紡績糸を生成して排出すること）に失敗した状態で弾性糸が供給され、弾性糸のみが糸継装置に導入されると、以降、弾性糸のみがパッケージに巻き取られるという問題もある。
【０００５】
本発明は以上の事情に鑑みてなされたものであり、その目的は、コアヤーンの製造装置において、スラブが発生して糸を切断した場合等において、弾性糸を含むコアヤーンの確実な糸出しを自動的に行えるようにすることにより、オペレータの手を煩わすことなく、糸継ぎ及び運転再開ができるようにすることにある。
【０００６】
【課題を解決するための手段】
本発明が解決しようとする課題は以上の如くであり、次に該課題を解決する為の手段を説明する。
【０００７】
即ち、請求項１においては、繊維束をドラフトするドラフト装置と、繊維束にコア繊維としての弾性糸を供給する弾性糸供給装置と、弾性糸と繊維束とを導入しそれらに旋回空気流を作用させてコアヤーンを生成する空気紡績装置と、該空気紡績装置の下流側に配設される糸送り装置と、該糸送り装置から出たコアヤーンを巻き取る巻取装置と、紡出側のコアヤーンと巻取側のコアヤーンとを糸継ぎするための糸継装置と、を有するコアヤーン製造装置において、前記空気紡績装置から排出された糸を引き出して前記糸継装置に導くための引出装置と、該引出装置内の糸の存在を検出する検出装置と、該検出装置の検出結果に基づいて前記弾性糸供給装置による弾性糸の供給を制御する制御装置と、を備えたものである。
【０００８】
【課題を解決するための手段】
請求項２においては、繊維束をドラフトするドラフト装置と、繊維束にコア繊維としての弾性糸を供給する弾性糸供給装置と、弾性糸と繊維束とを導入しそれらに旋回空気流を作用させてコアヤーンを生成する空気紡績装置と、該空気紡績装置の下流側に配設される糸送り装置と、該糸送り装置から出たコアヤーンを巻き取る巻取装置と、紡出側のコアヤーンと巻取側のコアヤーンとを糸継ぎするための糸継装置と、を有するコアヤーン製造装置において、前記空気紡績装置から排出された糸を引き出して前記糸継装置に導くための引出装置と、該引出装置により引き出された糸が前記糸送り装置による送り力を付与された状態で前記糸を検出する検出装置と、該検出装置の検出結果に基づいて前記弾性糸供給装置による弾性糸の供給を制御する制御装置と、を備えたものである。
【０００９】
請求項３においては、前記引出装置は移動自在な吸引管であり、前記検出装置は、該吸引管の吸引経路内で前記紡績糸の有無を検出するものである。
【００１０】
請求項４においては、前記弾性糸供給装置はエアサッカー装置とクランプカッター装置とを具備するとともに、前記制御装置は、弾性糸の供給を開始する際には、前記エアサッカー装置が作動してから所定時間経過後に、クランプカッター装置による弾性糸の把持を開放するように制御するものである。
【００１１】
請求項５においては、前記弾性糸供給装置は、弾性糸の給糸巻糸体に接触して回転する繰出ローラを備え、前記制御装置は、弾性糸の供給を開始する際、クランプカッターによる弾性糸の把持開放と略同時に繰出ローラによる弾性糸の繰出しを開始するように制御するものである。
【００１２】
請求項６においては、前記空気紡績装置は、中空ガイド軸体と、該中空ガイド軸体の先端部に旋回空気流を発生させるノズル部材とを備え、中空ガイド軸体の糸通路に先端側から弾性糸及び繊維束を供給しながら、ノズルによる旋回空気流を作用させてコアヤーンを生成するものである。
【００１３】
【発明の実施の形態】
次に本発明の実施の形態を説明する。まず、図１〜図４において、本発明のコアヤーン製造装置の全体構成について説明する。
図１は本発明のコアヤーンの紡績装置及び糸継台車を示す正面図、図２は図１の紡績装置及び糸継台車部分の拡大側面断面図、図３は紡績部とサクションノズルと糸継台車の部分の拡大側面図、図４は紡績部とサクションノズルと本発明の要部を示す俯瞰図である。
図５は本発明のコアヤーンの拡大図、図６は従来のコアヤーンの拡大図である。
図７は本発明のコアヤーンにおいて、カバーリング繊維の巻付きの様子を示す斜視図である。
図８は本発明のコアヤーン紡績装置の制御ブロック線図である。図９は本発明のコアヤーン紡績装置のタイミングチャート図である。
図１０はリング精紡機により生成されたコアヤーンと、カバーリング繊維をステープルファイバとして、従来の紡績方法または装置により製造されたコアヤーンと、カバーリング繊維を綿１００％として、本発明の製造方法により製造されたコアヤーンとにおける、コア繊維である弾性糸１１の延伸倍率−糸強力特性を示す図である。
図１１はコア繊維の供給部をモータ駆動とした実施例の本発明の要部を示す俯瞰図である。
【００１４】
コアヤーン製造装置は、紡績ユニット１を機台長手方向に多数並設して構成されている。各ユニット１の上部にはドラフト装置６が設けられている。該ドラフト装置６は図２に示すように、後部のケンス２からガイド３を介して供給され、コアヤーンにおけるカバーリングとなるスライバ４をドラフト（延伸）して、所定の繊維束５に引き揃える。なお、本実施例では、綿１００％の短繊維（ファイバ）で構成されるスライバ４を原料としているが、これに限るものでもない。
前記ドラフト装置６は図３に示すように、バックローラ７、エプロンに巻き掛けされたミドルローラ８及びフロントローラ９から主に構成されている。このドラフト装置６の下流には、前記フロントローラ９に近接して、空気紡績装置１３が配置されている。バックローラ７に対する動力を断接するクラッチ（図８に示す符号７５）は制御装置５１に接続されており、制御装置５１によって動力の伝達／遮断が制御される。
各紡績ユニット１は、ドラフト装置６内の繊維束５（スライバ４）に対して、伸縮性の大なる弾性糸１１を供給する弾性糸供給装置１０を備えている。
空気紡績装置１３は、弾性糸供給装置１０から供給される弾性糸１１と、ドラフト装置６によりドラフトされた繊維束５とに対して、空気紡績ノズル８６からの圧縮空気の旋回気流を作用させて紡績するものであり、弾性糸１１をコア繊維として、その外側を繊維束５の繊維でカバーリングしたコアヤーン１２を製造するためのものである。
前記空気紡績装置１３には、前記空気紡績ノズル８６とは別の糸排出用吸引流発生ノズル８２が付設されており（後述）、ドラフト装置６を出た紡績の開始時において、繊維束５が自動的に空気紡績装置１３の糸通路に導入され、空気紡績装置１３で紡績された後、所定の強度を持った紡績糸として空気紡績装置１３の排出口から排出されるべく構成されている。
【００１５】
前記した繊維束５のカバーリングに際して、本発明のコアヤーン製造装置により製造されるコアヤーン１２は、図５（ａ）に示す如く、弾性糸１１の周囲に螺旋状に巻き付いたものに構成したり、図５（ｂ）に示す如く、更に単糸の外周に一定の間隔をおいて結束部Ｋを構成し、繊維束５と弾性糸１１とを巻き付けて構成したりするものである。
空気紡績装置１３の下流には、製造されたコアヤーン１２に送り力を付与して、下流側に給送する糸送り装置としての、糸送りローラ１４が設けられている。図２〜図４に示すように、該糸送りローラ１４は、下側の常時回転しているデリベリローラと、該デリベリローラに接触して従動回転する上側のニップローラの、一対のローラにより構成されて、回転中の両ローラ間に糸が把持されることにより、糸に送り力が付与される。
ユニット１の前面下部には、糸送りローラ１４から給送されるコアヤーン１２をパッケージ１５に巻き取る、巻取装置１６が設けられている。
【００１６】
また図４に示すように、糸送りローラ１４と巻取装置１６との間には、給送されるコアヤーン１２の糸むら等の糸欠点を検出するスラブキャッチャ（太さ欠点検出器）１７が設けられ、この糸欠点検出に伴うスラブキャッチャ１７からの信号により、制御装置５１が、糸送りローラ１４の下流に設けられたカッター６３（図４）を作動させて、コアヤーン１２が切断されるように制御する。
本発明においては、制御装置５１の制御により、カッター６３による糸の切断と同時に、クラッチ（図８の符号７５）を切ることによってドラフト装置６を構成するバックローラ７の駆動が停止され、空気紡績装置１３が停止されてコアヤーンの紡出が停止され、後述する弾性糸パッケージ２０の駆動も停止される。
また、弾性糸供給装置１０を構成するクランプカッター装置３３（図４）は、電磁制御弁５６の切り換わりにより、弾性糸１１の端部を把持して、該糸１１をその先端を切断した状態で停止される。
クランプカッター装置３３を操作するのがアクチュエータ５４であり、該アクチュエータ５４へ供給する高圧エアを制御する電磁制御弁５６が設けられている。電磁制御弁５６も制御装置５１からの信号により開閉されるものである。なお、制御装置５１を含む本発明の紡績装置の制御ブロック線図は図８に示すようになっている。
【００１７】
ドラフト装置６の上方には、弾性糸１１の供給装置１０が設けられ、該弾性糸供給装置１０から供給される弾性糸１１は、フロントローラ９とミドルローラ８との間から繊維束５に合流して、該繊維束５とともにフロントローラ９を通過し、空気紡績装置１３に導入されるように構成されている。
この弾性糸供給装置１０には図１に示すように、並設されたユニット１に沿って掛け渡され、一つのモータ１８によって回転駆動される共通の駆動軸１９が具備され、この駆動軸１９には弾性糸１１のパッケージ２０（給糸巻取体）を駆動する回転ローラ（弾性糸繰出ローラ）２１が各ユニット１毎に取り付けられている。
弾性糸１１のパッケージ２０は、水平の軸２２に俯仰自在に取り付られたクレードルアーム２３に回転自在に支持されている。該弾性糸パッケージ２０は回転ローラ２１の上に接触して、その回転を受けるように構成されている。そして図４に示すように、回転ローラ２１と弾性糸パッケージ２０との間には、コアヤーン１２の糸切れ時にパッケージ２０の回転を停止するストッパ２４が挿抜自在に設けられている。
【００１８】
具体的には図４に示すように、上記ストッパ２４は支軸に回転自在に軸支され、ストッパ２４はその回動により先端部が回転ローラ２１と弾性糸パッケージ２０との間に挿抜されるように構成されている。ストッパ２４は回転ローラ２１とは非接触で、回転ローラ２１とパッケージ２０との間に挿入される。
ストッパ２４にはアクチュエータ２９が連結され、該アクチュエータ２９は、通常時にはストッパ２４を回転ローラ２１とパッケージ２０との間から抜き取った状態に保持する一方、スラブキャッチャ１７からの信号に基づき、ストッパ２４を回転ローラ２１とパッケージ２０の間に挿入し、弾性糸パッケージ２０の回転を停止するようにしている。このアクチュエータ２９は図８に示す如く、クレードル電磁制御弁５０を介して制御装置５１により制御される。
【００１９】
まず、コアヤーン製造装置の運転を初めて行う紡績開始時において、パッケージ２０から弾性糸１１を解舒し、この弾性糸１１は、弾性糸供給装置１０を構成する漏斗部６０に、オペレータの手動操作により吸い込まれ、エアスレッティング用エアサッカー装置５８と弾性糸検出センサ３２とクランプカッター装置３３を通過して、弾性糸供給ガイド筒５９から、フロントローラ９の前の位置へ供給される。
前記漏斗部６０とエアスレッティング用エアサッカー装置５８とクランプカッター装置３３と、弾性糸供給ガイド筒５９の部分は、全体として回動ボックス５２に一体的に収納されている。これは、紡績の最初の段階で点検修理しスライバ４をドラフト装置６に噛ませるために、前記したドラフト装置６の上部の半分を持上ハンドル５３を操作して持ち上げた場合において、弾性糸供給ガイド筒５９が持上げの邪魔とならないよう、左右に回動して退避できるようにするためである。
【００２０】
コアヤーン製造装置のユニット１の枠体１ａは図２に示すように、前面が開放された断面Ｃ形状に形成され、長手方向に連続した内部空間にレール３７・３８が敷設されており、該レール３７・３８に沿って、糸継台車３９が走行自在に配置されている。
この糸継台車３９には、上下方向に回動自在な吸引管であるサクションノズル（引出装置）４１と、回動自在なサクションマウス４２が設けられている。該サクションノズル４１は、吸引口が糸継部４０より下方に位置するような図２に示す糸案内位置Ａから、図２に一点鎖線で示すように、吸引口が空気紡績装置１３の出口近傍となる位置（糸捕捉位置）まで上方向に回動して、空気紡績装置１３の紡出側の糸端を吸引し、次に、該糸端を糸継部４０に導くべく、前記糸案内位置Ａに復帰する。
また、サクションマウス４２は、下方の巻取装置１６に保持された巻取パッケージ１５を逆転させることにより送り出された糸端を、糸継部４０に導くべく、待機位置Ｂ（図２）まで回動して引き上げる。
【００２１】
また、糸継台車３９には、上記サクションノズル４１とサクションマウス４２を駆動するカム４３と、このカム４３を駆動するカムモータＭ、サクションを発生するブロワ等が設けられている。
糸継台車３９には、サクションノズル４１が待機位置（糸案内位置）Ａから、吸引口が空気紡績装置１３の出口近傍に位置する糸捕捉位置まで移動したときに、これを検出する為のノズル検出センサ４４が設けられるとともに、カム４３が一回転したことを検知するための１サイクル終了検知センサ４５が設けられている。
なお、カム４３が一回転する間に、まずサクションマウス４２の、巻取装置１６側の糸端を引き上げる動作が完了し、次いで、空気紡績装置１３側の糸端を糸継部４０に向かって引き出すサクションノズル４１の動作が完了するように構成している。
【００２２】
前記サクションノズル４１は、上下方向・旋回自在等は限定しないが、移動自在に構成された吸引管であって、本実施例では、上下方向にのみ回動自在なサクションノズル４１としてある。図４に示すサクションノズル内センサ６６は、該サクションノズル４１の吸引経路内の糸の有無を検出する、検出部としての役割を果たしている。糸継台車３９側には制御装置が設けられており、この制御装置（以下、「台車側制御装置」という。）は、サクションノズル内センサ６６の検出結果に基づいて前記カムモータＭを制御する。ユニット１側の制御装置５１と台車側制御装置との間は、図示しない信号伝達手段によって信号のやり取りを行うことができるようにしている。この信号伝達手段は、非接触の通信手段としても構わない。
【００２３】
次に、吸引管であるサクションノズル４１が下方に回動すると、この回動に伴い、サクションノズル４１に吸引された糸は、糸送りローラ１４の前記ニップローラ、デリベリローラ間に入り、両ローラに把持されて送り力が付与されるようになっている。この状態で該サクションノズル内センサ６６が糸の存在を検出すると、繊維束５のみにより紡績された（不完全な）糸が、後述する糸排出用吸引流発生ノズル８２のエア噴射により、空気紡績装置１３から順調に排出され、しかも、糸送りローラ１４によって糸に送り力が付与されていると判断するのである。
そして、次に、上記判断に基づいて制御装置５１は、弾性糸供給装置１０から弾性糸１１の供給を開始すべく制御することにより、弾性糸１１が繊維束５に内包された、完全なコアヤーンの供給が開始されるのである。
【００２４】
次に図１２〜図１４において、空気紡績装置１３と糸排出用吸引流発生ノズル８２の構成を説明する。
図１２は中空ガイド軸体８０を付設した空気紡績装置１３の断面図である。図１３は空気紡績装置１３での紡績時における繊維束５の挙動を示した断面図である。
図１４は中空ガイド軸体８０の詳細を示す拡大断面図である。
【００２５】
図１２に示す如く、空気紡績装置１３はノズルブロック（部材）Ｂと中空ガイド軸体８０により構成されている。空気紡績装置１３を構成するノズルブロックＢには、旋回空気流発生用ノズルである空気紡績ノズル８６を穿設しており、また、繊維束５が導入される繊維導入部材８４の繊維導入孔８３が設けられている。
更にはノズルブロックＢにはニードル８５が設けられている。このニードル８５は中空ガイド軸体８０の糸通路８１と同軸上に配置されており、繊維導入孔８３から中空ガイド軸体８０の糸通路８１に繊維を案内する機能と、バルーンを阻止することによりフロントローラ９に向かう仮撚りの伝播を阻止し、中空ガイド軸体８０の先端で繊維が反転し易くする機能を果たす。ガイド部材であるニードル８５は、図示のような一本の針状のものに限定されず、複数の部材で囲まれた繊維案内空間を形成し、繊維導入孔８３を出た繊維がその繊維案内空間を通って中空ガイド軸体８０の糸通路８１に案内されるようにしても良い。
前記中空ガイド軸体８０においては図１４に示すように、先端入口から排出口まで連続して形成されている糸通路８１の途中に、糸排出用吸引流発生ノズル８２が穿設されている。ノズル８２は、糸通路８１内に先端入口から排出口に向かう空気流を発生することができるように構成され、その空気流により、繊維を糸通路８１内に引き込むことができるようになっている。
繊維束５は中空ガイド軸体８０の先端部において、空気紡績ノズル８６の生成する旋回気流を受け、弾性糸１１が構成するコア繊維の周囲に巻き付けられながら、中空ガイド軸体８０の糸通路８１に案内される。これにより実撚り状の紡績糸を生成する紡績がなされ、弾性糸１１を中心に有するコアヤーン１２が構成される。
【００２６】
具体的には、繊維導入孔８３を経て排出された繊維束５及び弾性糸１１は、上記旋回気流に押されてニードル８５に当たり、図１３に示す如く、ニードル８５の周面に巻き掛かりつつ中空ガイド軸体８０内に導入される。
前記繊維導入孔８３から排出される繊維束５を構成する各繊維の先端側は、中空ガイド軸体８０の先端近傍で形成されつつある紡績糸の各繊維によってその周囲を巻き付けられた状態で、中空ガイド軸体８０内に導入される。一方、繊維の後端側は、紡績室（ノズルブロックＢと中空ガイド軸体８０との間に形成された空間をいう。）内の旋回気流の作用により、図１３に示す如くいったんほぐれて反転し、中空ガイド軸体８０の外周面に螺旋状に巻き掛かる。しかしその直後、該繊維の後端側は、中空ガイド軸体８０内に向かう繊維束５の周囲を前記旋回気流によって振り回されながら、前記中空ガイド軸体８０の内部に引き込まれていく。
【００２７】
このように、繊維の後端側は、中空ガイド軸体８０内に向かう繊維束５の外周を周回しながら巻き付き、実撚り状の紡績糸を形成していく。このとき、該繊維の後端側が巻き付く繊維束には前記繊維導入孔８３から新たに排出された繊維の先端側も含まれており、この他の繊維の後端側も中空ガイド軸体８０に近づくと、上述と同様に繊維束５の周囲を振り回されて繊維束５の外周に巻き付く。
【００２８】
このように、紡績室内では繊維が旋回気流によって振り回されて撚られるが、繊維束５はニードル８５に一端巻き掛かってから送られるから、繊維束５の撚りがニードル８５の上流側に伝播することがなく、良好に紡績することができる。
【００２９】
図１４に示す糸排出用吸引流発生ノズル８２は、該ノズル８２からの圧縮空気の噴射により、糸通路８１内に繊維を引き込むような吸引流を発生させる作用を営む。
紡績開始時に空気紡績ノズル８６に加えてノズル８２を作動させることにより、弾性糸１１や繊維束５の先端を吸引して中空ガイド軸体８０内に導入するとともに、所定の強度（サクションノズル４１を回動させることにより引き出されても切れないような強度）を持った紡績糸として排出することを可能としているのである。
糸排出用吸引流発生ノズル８２は通常の紡績中には噴射を行わず、紡出側の糸と巻取り側の糸とを糸継ぎする際において、ドラフト装置６及び空気紡績装置１３の駆動を再開する際に、所定時間のみ作動して、空気紡績ノズル８６と糸排出用吸引流発生ノズル８２とが噴射エアを発生させて糸を紡出する糸出し紡績を行う。この糸排出用吸引流発生ノズル８２の作動／停止は、図８に示す切換弁７６を制御装置５１が切り換えることによって制御される。
本発明においては、空気紡績装置１３の部分に中空ガイド軸体８０により構成した糸排出用吸引流発生ノズル８２を設けているので、紡績再開時の自動的な糸出しが可能となっているのである。
【００３０】
また、本発明のような空気紡績装置１３による紡績により、繊維長の長い繊維が中心に寄り、繊維長の短い繊維が外側に巻き付くという紡績原理が発生するのである。本実施例では短繊維をカバーリングの繊維束５として用いることで、図５に示すような、弾性糸１１に撚りが付与されていない良好なカバーリング性が得られる。
【００３１】
繊維束５を構成するカバーリング繊維一本一本についての巻き付き形状に着目すると、図７（Ａ）に示すように、繊維の先端側の一部の領域５ｘはコアヤーン１２の長手方向と略平行な方向におかれて、芯繊維である弾性糸１１に巻き付く一方、残りの後端側の領域５ｙは前記弾性糸１１から遠ざかりながら螺旋状に巻き付くような形状（円錐体に螺旋状に巻き付かせたような形状）となっている。この繊維の一本一本が図７（Ｂ）に示すように弾性糸１１の周囲に次々と巻き付いて、コアヤーン１２を生成するのである。
詳しくは、前記繊維５ａの先端側がコアヤーン１２の長手方向と略平行な状態とされ、その周囲に別の繊維５ｂの後端側が螺旋状に巻き付けられる。そしてその別の繊維５ｂの先端側もコアヤーン１２の長手方向と略平行な状態とされ、その周囲に更に別の繊維５ｃの後端側が螺旋状に巻き付けられる。このように、各繊維５・５・・・の先端側の周囲が他の繊維の後端側によって巻き付けられるのである。そして、巻き付く側の繊維５の部分は前述のとおり前記螺旋状部分５ｙであるから、このように繊維５・５・・・が巻き付いた本発明のコアヤーン１２は、その繊維構造に着目すると、図７（Ａ）（Ｂ）に示すように、芯糸である弾性糸１１が該コアヤーンの中心に配置され、また、該コアヤーンの長手方向に平行とされている。一方、カバーリング繊維５の先端側はコアヤーン長手方向（弾性糸１１の長手方向）に平行に向けられながら該コアヤーン中心部に集められ、後端側は螺旋状の状態で巻き付くとともにコアヤーンの外面に露出している。そして、一の繊維の後端は後続する他の繊維に巻き付き、該他の繊維の後端は後続する更に他の繊維に巻き付き、…というように、先行側の繊維の後端がすぐ後続側にある繊維に巻き付くという連続的な構造をなしているため、コアヤーン長手方向に沿った方向でのしごきに対して大きな耐久性を発揮するのである。
【００３２】
一方、リング精紡機により製造されるコアヤーンの場合、カバーリング繊維のみならず芯繊維（弾性糸）にまで撚りが入っており、カバーリング繊維がその先端側後端側を問わず全体的に螺旋状に撚られ、それぞれのカバーリング繊維が他の繊維に平行に（他の繊維に沿って）並んでいる構造をなしている。また、芯糸である弾性糸もカバーリング繊維に対して略平行に撚られている構造となっている。
このような構造により、コアヤーン長手方向のしごきに対して弱い糸になってしまうのである。
【００３３】
本発明のコアヤーン製造装置により製造されたコアヤーン１２は、コア繊維（弾性糸１１）とカバーリング繊維（繊維束５）との結束が強いものとなり、コアヤーン１２（弾性糸１１）の長手方向にコアヤーン１２を引っ張ったときの、しごきに対する耐久力（性）は、弾性糸１１への繊維束５の結束の強化に基づいて、コアヤーン１２の単糸強力（引っ張り破断強力）よりも大きいものとなる。
従って、しごきに対する耐久性は、コアヤーン１２を該コアヤーン１２の長手方向に強く引っ張ると、弾性糸１１から、繊維束５（カバーリング繊維）がスルスルと移動して、弾性糸１１がむき出しになるという事態が生じる前に切断される程度にまで向上し、これにより弾性糸１１の強力がコアヤーンとしての単糸強力に関与することとなる。
そして、前記紡績により、しごきに対する耐久性に優れた、カバーリング繊維である繊維束５を短繊維としたコアヤーン１２の生成が高速に行なえるのである。
【００３４】
次に、弾性糸供給装置１０の部分の構成について説明する。
図４に示すように、漏斗部６０が、手動操作の際において、弾性糸１１の端部を吸い込みさせやすいように配置されている。該漏斗部６０の下方にエアスレッティング用エアサッカー装置５８が固定されている。また、エアサッカー装置５８の下方（下流側）には、クランプカッター装置３３が配置されている。
エアスレッティング用エアサッカー装置５８とクランプカッター装置３３との間には、弾性糸検出センサ３２が配置されている。該弾性糸検出センサ３２は、最初の糸セットの際において、エアスレッティング用エアサッカー装置５８とクランプカッター装置３３との間に弾性糸１１が把持されているかどうかを、弾性糸１１の有無により検出するものである。
前記弾性糸検出センサ３２は非接触式のセンサにより構成されており、弾性糸１１の付着を防止する役目をしている。
また、糸停止状態でも、弾性糸検出センサ３２が存在する為に、糸の有無を検出することが可能である。なお、弾性糸検出センサ３２は、図４において、エアスレッティング用エアサッカー装置５８とクランプカッター装置３３の間に配置されているが、回転ローラ２１とクランプカッター装置３３との間であればどこに配置してもかまわない。
【００３５】
エアスレッティング用エアサッカー装置５８は、例えば、大きさ（径）の異なる糸通し孔を備えた複数の糸通し部材を備え、該複数の糸通し部材は、同軸上にある糸通しの孔の大きさが下流側、即ち、後述する弾性糸供給ガイド筒５９側に向かって小さくなるように配置された構成とすることができる。これにより、前記糸通し部材の間隔からエアを効果的に逃しつつ、糸通し孔の中心軸上を流れるエアにより弾性糸１１の糸通しが行われるため、高圧のエアを噴射して高い送り力を得ることができ、弾性糸１１を緩ませることなく、確実にドラフト装置６に供給することが可能になる。
【００３６】
クランプカッター装置３３の下方には、ドラフト装置６に対する弾性糸供給位置（本実施例ではミドルローラ８とフロントローラ９との間）に向かって、弾性糸供給ガイド筒５９が細長い筒として突出されている。該弾性糸供給ガイド筒５９は、糸の品質を考えると、弾性糸１１に屈曲が発生しないように、また延伸比が安定するように、真っ直ぐに下方へ延びているのが良い。
エアスレッティング用エアサッカー装置５８とクランプカッター装置３３と弾性糸供給ガイド筒５９との部分は、一体的に回動可能とすべく、回動ボックス５２内に収納されている。該回動ボックス５２の部分は、ドラフト装置６点検補修の為に、ドラフト装置６のトップローラ側を支持するクレードルの部分の半分を持上ハンドル５３の操作により持上げ可能としたこととの関係上、該ドラフト装置６のクレードルの持上げの際に弾性糸供給ガイド筒５９の部分が邪魔とならないよう、左右に回動又は移動して、回避できるようにしている。
【００３７】
前記弾性糸１１の延伸比は、回転ローラ２１と糸送りローラ１４との間の、周速比の相違により与えることができる。
即ち、糸送りローラ１４の周速を回転ローラ２１の周速よりも大きく構成することにより、紡績区間を含む回転ローラ２１と糸送りローラ１４との間において、弾性糸１１を、例えば約４倍以上に延伸した状態に維持することができるのである。
そして、弾性糸１１を所定の延伸比に維持した状態で、空気紡績ノズル８６による旋回空気流を使って、弾性糸１１の外周に繊維束５を巻き付けつつ紡績を行うのである。
【００３８】
また、弾性糸１１の周囲への繊維束５の巻き付けと同時に、繊維束５の一部のファイバーが周囲に巻き付いて、図５（ａ）に示す如く、弾性糸１１の周囲に螺旋状に巻き付いたものに構成したり、図５（ｂ）に示す如く、部分的に巻き付いている結束部Ｋを形成し、その結束部Ｋの巻き付けにより弾性糸１１と繊維束５との間を密着させて、一体化させるのである。これらの構成の違いは、例えば、図１２に示す、フロントローラ９と、中空ガイド軸体８０先端との距離の違いによって現れるものである。
弾性糸１１を給送する弾性糸パッケージ２０は回転ローラ２１の上方に軸受支持されており、回転ローラ２１により、弾性糸１１を解舒して繰り出す方向に回転駆動される。繰り出された弾性糸１１は、回転ローラ２１と糸送りローラ１４との間に付与された周速差により、所定の延伸比が与えられて張力が付与される。このように、弾性糸は延伸された状態で、スライバ４をドラフトした後の繊維束５とともにフロントローラ９から空気紡績装置１３に導入されて、紡績される。
【００３９】
コアヤーン製造装置が運転状態にあるときに糸に欠点が発生すると、スラブキャッチャ１７（図４）がこれを検出して、制御装置５１に信号を発信する。該信号を受けた制御装置５１は、カッター６３を作動させて糸を切断し、またクラッチ７５を切ることによってドラフト装置６のバックローラ７に対する動力を遮断して停止させると共に、電磁制御弁５０を介してアクチュエータ２９を操作し、弾性糸供給装置１０のストッパ２４を回転ローラ２１とパッケージ２０との間に挿入させ、弾性糸パッケージ２０の回転を停止させる。また、ストッパ２４の作動と同時に電磁制御弁５６を切り換えてクランプカッター装置３３を閉じ、弾性糸１１を該クランプカッター装置３３に把持させる。
【００４０】
一方、バックローラ７の停止により、これより下流の繊維束５はバックローラ７から引きちぎられ、共に吸引口２６から吸引除去される。
このように、スラブキャッチャ１７により糸欠点が検知されると、カッター６３が作動してコアヤーン１２を切断し、該切断されたコアヤーン１２の巻取装置１６側の端部は、巻取パッケージ１５に一旦巻き取られるのである。
こうして、ユニット１は糸継ぎの必要な状態となり、このユニット１側の制御装置５１は糸継ぎ要求信号を発信する。該信号を受信した糸継台車３９側の制御装置は、この糸継の必要なユニット１まで台車３９を移動させて停止させる。
【００４１】
図４において、７１はスラックチューブであり、糸継ぎの際において、紡出側からのスライバ４の供給が再開された時に、紡出側のコアヤーン１２を吸引して、糸継ぎ時に発生する弛みを吸引し、糸の張力を確保する為に配置されている。
１７はスラブキャッチャであり、コアヤーン１２の太さを検出し、細糸部や太糸部を検出した場合に糸を切断するためのものである。
また図４において、糸継不能表示板６２は、糸継ぎ不能のユニット１に対して糸継台車３９を通過させる為の標識であり、該糸継不能表示板６２を操作するソレノイド６５と連結リンク６８により、制御装置５１を介して操作される。そして、弾性糸パッケージ２０に弾性糸１１が無くなったとき、又は、クランプカッター装置３３が弾性糸１１をクランプできなかったときであって、弾性糸検出センサ３２が弾性糸１１を検出しない場合には、図示の如く突出動作して、糸継台車３９を通過させオペレータに異常を報知する。
カッター６３も、制御装置５１を介してソレノイド６５と連結リンク６７により操作される。
【００４２】
次に、本発明の紡績装置の操作の手順を説明する。
コアヤーン製造装置の運転を初めて行う際のスタート準備においては、オペレータによる手動作業で、エアスレッティング用エアサッカー装置５８の漏斗部６０に、弾性糸パッケージ２０から解舒されて、回転ローラ２１により下方へ垂下される弾性糸１１の糸端を入れる。
そして、回動ボックス５２の通路側に特別に設けられている、マニュアルスイッチ５５（図２・図３）をＯＮ操作する。
該マニュアルスイッチ５５から手動開始信号が制御装置５１に送信され、該制御装置５１からの操作信号で、エアスレッティング用エアサッカー装置５８（図４）を制御する電磁制御弁５７（図８）を開放し、高圧エアを供給して、弾性糸１１の端部をエアスレッティング用エアサッカー装置５８内に通す、糸通し作業が行われる。
エアスレッティング用エアサッカー装置５８内に吸引されて糸通しをされた弾性糸１１は、同時にその先端部分が弾性糸検出センサ３２とクランプカッター装置３３を通過する。弾性糸１１の端部はカッターにより切断され、クランプ装置により把持された状態となる。こうして弾性糸供給装置１０の準備を完了する。
即ち、マニュアルスイッチ５５をＯＮすると、弾性糸１１の端部がエアスレッティング用エアサッカー装置５８と弾性糸検出センサ３２を通過して、クランプカッター装置３３にその先端が把持されるとともに弾性糸１１の不要な先端部分が切断された状態となる。
【００４３】
一方、コアヤーン製造装置の運転中にスラブが発生して糸を切断した後の、糸継ぎの自動化の機構について説明する。
【００４４】
図４に示す如く構成される本実施例においては、スラブキャッチャ１７によりスラブを検出すると、カッター６３によりコアヤーン１２を切断し、前述の如く空気紡績装置１３を停止し、バックローラ７を停止し、クランプカッター装置３３により、弾性糸１１をその端部を切断して把持した状態で停止させるようになっている。
【００４５】
これらの状態から糸継ぎが開始されるが、まず、スラブキャッチャ１７からの信号を受けた制御装置５１が糸継台車３９の制御装置へ信号を送り、該信号を受けた台車側制御装置は該糸継台車３９を、停止した状態のユニット１まで図１の紙面左右方向に移動させて、そのユニット１の位置にサクションノズル４１が一致する位置で停止させる。停止状態のユニット１に糸継台車３９が到着すると、台車側制御装置はカムモータＭを所定角度だけ回転させてサクションノズル４１を旋回させ、図２の鎖線あるいは図４の実線に示す如きの、吸引口が空気紡績装置１３の排出口近傍に位置した状態（前記「糸捕捉位置」）で静止させる。これが糸出し紡績の準備工程であり、この工程が完了すると、台車側制御装置はユニット１側の制御装置５１に準備完了信号を送信する。
この準備完了信号を受信したユニット１側の制御装置５１は、サクションノズル４１が上記の糸捕捉位置にある状態（吸引口が空気紡績装置１３の排出口近傍に位置した状態）で、停止していたバックローラ７をクラッチ７５を接続することで駆動させるとともに、低圧切換弁７４を介して紡績ノズル８６を、切換弁７６を介して糸排出用吸引流発生ノズル８２を、それぞれ作動させて、スライバ４から紡績糸を生成して排出する糸出し紡績を行う。
【００４６】
これにより、ドラフト装置６のバックローラ７から繊維束５のみがエプロンが掛けられたミドルローラ８とフロントローラ９とを介して空気紡績装置１３に供給されて（この段階では、まだ弾性糸１１は空気紡績装置１３に供給されない。）、前記糸排出用吸引流発生ノズル８２からの噴射エアにより、弾性糸１１の入っていない不完全な糸として糸出し紡績がなされ、空気紡績装置１３から排出される。このとき、糸継台車３９のサクションノズル４１は上方の糸捕捉位置に回動した状態となっており、該空気紡績装置１３から排出される不完全な糸を該サクションノズル４１により吸引するようにしている。
【００４７】
このとき紡績ノズル８６は、図９に示す如く、作動開始からの所定時間は低圧に維持された後、通常紡績時と同じ高圧に切り換えられる。糸出し紡績の開始直後に紡績ノズル８６を低圧に維持することにより、前記中空ガイド軸体８０の先端付近で紡績ノズル８６からの旋回気流により繊維が振り回されるのを抑制しているので、糸排出用吸引流発生ノズル８２による吸引流で中空ガイド軸体８０の糸通路８１内に繊維を確実に取り込むことができ、糸出し紡績の成功率が向上する。
この低圧・高圧の切換制御は、図８に示す高圧切換弁７３・低圧切換弁７４に対し制御装置５１が適宜の信号を送ることによって行われる。
【００４８】
ここで、糸出し紡績及び糸の排出が正常になされていれば、サクションノズル４１の吸引により該ノズル４１内のセンサ６６が糸の存在を検出することとなる。
前述の台車側制御装置は、糸出し紡績開始後の所定時間において、サクションノズル内センサ６６の状態を監視し、糸出しが成功したか否か（正常に紡績糸が排出されたか否か）を判定する。即ち、台車側制御装置は、ユニット１側に前述のように準備完了信号を送信した後の所定時間の間に、糸出し検出センサ６６により糸が有ることを検出すれば、糸出し紡績が成功したと判定する。一方、所定時間の間に糸が有ることをセンサ６６により検出しない場合には、糸出し紡績が失敗したものと判定する。
【００４９】
糸出し紡績が成功したものと判定された場合は、台車側制御装置はカムモータＭを更に所定角度回転させて、サクションノズル４１を下方の糸案内位置まで旋回させる。下方回動の際もサクションノズル４１の吸引は継続されているため、糸は、該サクションノズル４１の先端から吸引されながら下方に引き下げられ、また、その過程において、糸送りローラ１４における回転中のデリベリローラとニップローラとの間に把持されて、糸に送り力が付与されることになる。
サクションノズル４１内の糸がセンサ６６によって検出されていれば、糸は吸引されながら正常に引き下げられたものと考えられ、またその過程において、該糸が糸送りローラ１４のデリベリローラとニップローラの間に適正に把持され、送り力が付与されているものと推測できる。本実施例においては、サクションノズル４１の糸案内位置への旋回が完了した時点で、ノズル４１内の糸の存在をサクションノズル内センサ６６によって再度確認させるようにしている。
ノズル４１下方回動状態でセンサ６６によって糸の存在が確認されると、台車側制御装置は、糸出し検出信号（糸出し成功信号）をユニット１側の制御装置５１に送信する。糸出し検出信号を受信した制御装置５１は、サクションノズル４１により引き出された糸が糸送りローラ１４に挟持され、糸送り力が付与されたものとみなすのである。
【００５０】
その後制御装置５１は、弾性糸供給装置１０を作動させて空気紡績装置１３に対する弾性糸１１の供給を開始するとともに、紡績ノズル８６の作動状態を保持した状態で、糸排出用吸引流発生ノズル８２の作動を停止させるのである。
具体的には、糸送り力が付与されたものと制御装置５１がみなしてから所定時間（図９に示す時間ｔ１）経過後、制御装置５１は、エアスレッティング用エアサッカー装置５８の吸引を開始すべく、電磁制御弁５７に信号を送る。
そして、さらに所定時間（ｔ２）経過後には、制御装置５１は電磁制御弁５６を介してクランプカッター装置３３の把持状態を開放し、略同時に電磁制御弁５０を介してアクチュエータ２９が操作して、弾性糸パッケージ２０の回転駆動を開始させる。これにより、既に駆動されている前記エアスレッティング用エアサッカー装置５８が弾性糸１１を吸引して、空気紡績装置１３まで導くのである。
これにより、弾性糸（コア繊維）１１及び繊維束５をともに空気紡績装置１３に供給し、コアヤーン紡績が開始される。言い換えれば、繊維束５のみにより紡績されていた糸（不完全な糸）の内部に弾性糸１１が入る形で、通常のコアヤーン１２が生成されるのである。
なお、クランプカッター装置３３が開放された時点では、糸排出用吸引流発生ノズル８２は未だ作動状態であり、この時点においてはコアヤーン１２は、該ノズル８２と紡績ノズル８６との噴射エアによる糸出し紡績により生成される形となる。その後制御装置５１が切換弁７６を介して糸排出用吸引流発生ノズル８２が停止するよう制御することにより、紡績ノズル８６と中空ガイド軸体８０のみによる紡績（通常の紡績）がなされるようになる。
【００５１】
そして、糸継部４０は、紡出側の糸と、サクションマウス４２が吸引した巻取装置１６の側の糸端との間で、糸継ぎを行う。こうして通常の紡績・巻取運転が開始される。
なお、糸の不要な部分（弾性糸１１の入っていない不完全な部分や、二つのノズル８２・８６の噴射エアによる糸出し紡績により生成されたコアヤーン１２の部分）は、糸継動作中に、糸継部４０の図示しないカッターによって切断されて、すべてサクションノズル４１内に吸引・除去される。
図９のタイミングチャートに示すように、弾性糸１１を供給し、かつ、糸排出用吸引流発生ノズル８２の噴射エアを停止して紡績ノズル８６のみによる通常の紡績に切り換えた後に、糸継部４０による上述の糸継動作が行われるようになっている。従って、糸継部４０が実際に糸継動作を行う時点では、弾性糸１１が内部に入っており、かつ、紡績ノズル８６のみによる通常の紡績によって生成されたコアヤーン１２が糸継部４０にまで到達しており、その結果、パッケージ１５には前記の通常の紡績によるコアヤーンのみが巻き取られることになる。
【００５２】
以上のように本実施例では、台車側制御装置がサクションノズル内センサ６６の糸検出信号を受信し、それに基づき発信する台車側制御装置の糸出し検出信号をユニット１側の制御装置５１が受信して、糸送りローラ１４によって前記不完全な糸に送り力が付与されたものと判断してから、前記エアサッカー装置５８を作動させるとともに弾性糸１１の供給を開始させるように制御しているのである。従って、空気紡績装置１３から排出された糸（サクションノズル４１によって引き出された糸）が糸送りローラ１４によって強い送り力を付与されている状態であることを確認してから、弾性糸１１の供給を開始しているのである。
これは、弾性糸１１が入っていない不完全な糸の段階から前記糸送りローラ１４によって下流への送り力を予め付与しておき、その後に該糸内に弾性糸１１を入れるというプロセスが取られることを意味する。
従って、収縮し易い弾性糸１１を確実に繊維束５内に導き、該繊維束５内に取り込ませながら下流の糸継部４０側へ送ることができ、糸継作業の確実性、安定性に優れるのである。
言い換えれば、正常な繊維束５（糸）の走行に乗って空気紡績装置１３に対する弾性糸１１の糸通しが確実に行えることにもなる。即ち、伸縮性が大きくて収縮し易い弾性糸１１が空気紡績装置１３に詰まることがないのである。
【００５３】
本実施例において制御装置５１は、サクションノズル４１の下方回動後に該ノズル４１内のセンサ６６が糸の存在を検出していることをもって、該糸が前記糸送りローラ１４によって送り力が正常に付与されていると、いわば間接的に判断（検出）している。
即ち、検出部を構成する前記センサ６６には、糸排出用吸引流発生ノズル８２を使って正常に糸出しが行えたことを検出する検出器としての役割を持たせるとともに、糸が糸送りローラ１４によって送り力が付与されていることを検出する検出器の役割をも兼ねさせている。
【００５４】
前記判定作業において糸出しが失敗したものと判定した台車側制御装置は、ユニット１側の制御装置５１へ糸出し失敗信号を送信する。このような場合は繊維束５が無くなったり等の異常が発生したものと推測されるから、糸出し失敗信号を受信した制御装置５１は、直ちにクラッチ７５を切ることでバックローラ７を停止させて、空気紡績装置１３に対するスライバ４（繊維束）の供給を停止させる。なお、このとき、紡績ノズル８６及び糸排出用吸引流発生ノズル８２の作動も停止させることが望ましい。
このように直ちにスライバ４の供給を停止させることにより、フロントトップローラに対するスライバ４の巻き付きを抑制して、フロントトップローラが損傷するのを防ぐことができる。
上記の制御の後、制御装置５１は、前記糸継不能表示板６２等によってオペレータに異常を報知する。
【００５５】
このように、スラブ発生による糸切断後の糸継ぎと運転再開が自動的に行われるのであるが、自動糸継ぎ作業の制御構成としては、以下のようなバリエーションも考えられる。
即ち、サクションノズル４１が上方回動状態にあるときに該ノズル４１内のセンサ６６によって糸が吸引されたこと（糸の存在）を検出し、その後に該サクションノズル４１を下方回動すれば、その時点でのサクションノズル内センサ６６の検出結果に関わらず、この下方回動動作によって糸送りローラ１４のデリベリローラとニップローラとの間に該糸が把持されたものとみなし、上述と同様の弾性糸１１の投入動作を行わせる構成である。即ち、サクションノズル４１の下方回動後においては、センサ６６による該ノズル４１内の糸の存在の確認を省略するのである。
【００５６】
あるいは、前記糸送りローラ１４の近傍に別途センサを設けて、サクションノズル４１に糸が吸引されたことは該ノズル４１内のセンサ６６によって検出させる一方、糸送りローラ１４のデリベリローラとニップローラとの間に糸が把持された（即ち、送り力が付与された）ことを、その別途設けたセンサによって検知させてもよい。この場合は、二つのセンサによって検出部が構成されることとなる。または、糸送りローラ１４の両ローラ間に糸が把持されたことを検出するセンサのみによって構成したものでも良い。
【００５７】
あるいは、サクションノズル４１が糸捕捉位置にあるときに台車側制御装置がサクションノズル内センサ６６によって糸の存在検出し、正常に糸出し紡績がなされていることを検出すると、該サクションノズル４１を下方回動させる前にユニット１側の制御装置５１に前記糸出し検出信号を送信するようにしてもよい。そして、制御装置５１は、糸出し検出信号を受信すると直ちに弾性糸供給装置１０を作動させるものとする。
この場合、糸送りローラ１４による送り力が付与される前であっても、空気紡績装置１３から排出される糸にはサクションノズル４１の吸引力による送り力が付与されていることになる。このように、正常に糸出し紡績がなされたことを確認した後に弾性糸の供給を開始することによって、正常な繊維束（糸）の走行に乗って空気紡績装置１３に弾性糸が通され、弾性糸は、その伸縮性が大きくて収縮し易いという特性にかかわらず、その糸通しが確実に行われるのである。
その上で、弾性糸１１が入った完全なコアヤーン１２をサクションノズル４１に吸引させながら、該サクションノズル４１を下方回動させて下流に引き出して糸継ぎさせるのである。これは、サクションノズル４１が、その下方回動によって、収縮し易い弾性糸１１が入った糸１２を確実に吸引しながら下流側に引き出せるだけの吸引力を有する場合に特に有効である。
ただし、サクションノズル４１を下方回動させた上で、糸送りローラ１４に糸が把持されたことを検出して（把持されたとみなして）糸に強い送り力が付与されていることを確認した後に弾性糸１１の供給を開始する方が、弾性糸１１を芯繊維とするコアヤーンの糸出し及び糸継ぎをより確実に行うという観点からは好ましい。それは、糸送りローラ１４に把持して送る送り力の方が、サクションノズル４１の吸引流による送り力よりも大きいためである。
【００５８】
弾性糸検出センサ３２は、弾性糸供給装置１０の部分において、回転ローラ２１とクランプカッター装置３３との間の位置に弾性糸１１があるか否かを検出するためのものである。弾性糸１１がない場合は、それを検出した該センサ３２が制御装置５１に信号を送信し、制御装置５１は、弾性糸パッケージ２０から弾性糸１１が無くなった等の状況が発生したものと判断して、紡績作業を停止させることになる。
更に、この場合には、上述した糸継台車３９を通過させて、糸継台車３９による糸継ぎをせずに、オペレータに対して、図４に示す糸継不能表示板６２の如くの表示操作によって、警告を発生する制御を行う。
【００５９】
また、巻取装置１６にコアヤーン１２が一杯に巻き取られて、玉揚げの際には、図４に示す制御装置５１からの信号によりクレードル電磁制御弁５０からアクチュエータ２９に高圧エアを供給してストッパ２４を回動し、弾性糸パッケージ２０を浮かせて弾性糸１１の供給を停止し、同時に、図４に示す、糸張力検出センサ６４の上部に配置したカッター６３により、コアヤーン１２を切断する。
【００６０】
次に、弾性糸パッケージ２０の駆動構成の変形例を説明する。
図１１においては、図４において、アクチュエータ２９によりストッパ２４を回動して、弾性糸パッケージ２０の回転・非回転を制御する機構としていた部分を、給糸モータＭｏにより制御した場合の構成を図示している。回転ローラ２１の駆動を給糸モータＭｏによりユニット１毎に独立して駆動制御するものであり、弾性糸パッケージ２０と回転ローラ２１は常時接触状態としていても良いものである。
前記給糸モータＭｏは、制御装置５１を介して制御することが可能であり、各ユニット１毎に異なる回転数により弾性糸パッケージ２０を回転させることにより弾性糸の延伸率を異ならせることができる。従って、１台の製造装置において、糸品質の互いに異なる複数種類のコアヤーンを製造することも可能である。
また、給糸モータＭｏによる単錘駆動とすることにより、各ユニット１ごとに独立して弾性糸パッケージ２０の駆動／駆動停止が可能である。従って、例えば、回転ローラ２１の部分に弾性糸１１が巻きついた場合には、その回転ローラ２１のみの回転を止めて修理したり、糸の除去を早急に行うことができるという利点も持っているのである。
【００６１】
図１０には、リング精紡機により生成されたコアヤーンと、カバーリング繊維をステープルファイバとして、従来の紡績方法または装置により製造されたコアヤーンと、カバーリング繊維を綿１００％として、本発明の製造方法により製造されたコアヤーンとにおける、コア繊維である弾性糸１１の延伸倍率−糸強力特性が示されている。
この図１０によれば、カバーリング繊維を綿１００％とした紡績糸においては、延伸倍率が４倍未満の場合、糸強力は他の紡績糸に較べて低い。しかしながら、延伸倍率上昇させるに当たり、延伸倍率を４倍近傍を境界にして、延伸倍率を上昇させることにより、糸強力の上昇傾向が顕著に表れる結果が得られた。
【００６２】
これは、単糸強力は、コア繊維の強力と、カバーリング繊維の結束の強さとによって決まるものであり、図１０の下部に示すように、延伸倍率が低い場合におけるコアヤーン１２の断面は、弾性糸１１の引っ張りが十分でないために、弾性糸１１の断面積が大きく、その分、周囲のカバーリング繊維（ファイバー）の占める割合が小さいため、弾性糸１１に巻き付くカバーリング繊維（綿１００％）が少なく、結束が弱いものとなるが、弾性糸１１を引っ張った状態で紡績すると、弾性糸１１の断面積が小さくなり、その分、巻き付くカバーリング繊維の割合が多くなるため、強い結束が得られ、強力が増大するためと考えられる。
【００６３】
また、本発明のコアヤーン１２の糸強力は、延伸倍率５倍程度になると横ばい傾向で推移している。これは、図１０下部で示すように、延伸倍率が増大しても、倍率が大きくなるに従って弾性糸１１の断面積（径）の変化が小さくなり、巻き付く繊維の量の変化も小さくなるためと考えられる。そこで、前記結果と、弾性糸１１自身の引っ張り破断強力の限界を考慮して、弾性糸１１の延伸倍率は、例えば、４０デニール（糸の太さを表す単位）で４倍〜６倍、１０５デニールで４．５倍〜７倍、１４０デニールで５倍〜８倍とするのが好ましい。
【００６４】
従って、本発明の製造方法により、弾性糸１１への繊維束５のカバー性を向上させるのみならず、綿１００％をカバーリング繊維とした紡績糸強力を、他の紡績糸の糸強力に近づけることができる。
更に、弾性糸１１を上記の如く延伸させて、紡績することにより、十分な伸縮性を得ることができ、かつ、通常の弾性糸の長さよりも長いコアヤーンを得ることができる。即ち、弾性糸１１の単位重量当たりに生成されるコアヤーンの長さを長くすることができる。また、リング精紡機に比べて、特許第２７０３１８９号公報に示すように、１０倍以上の高速紡績が可能となる。
【００６５】
また、コアヤーンを織機、縫製等に用いる場合、リング精紡機にて、複数倍の延伸倍率で弾性糸１１を伸ばして生成されたコアヤーンは、糸端を切断すると、周囲のカバーリング繊維との結束が弱いので、弾性糸１１が収縮しようとし、コアヤーン長手方向に縮んで、その縮みの分だけコア繊維即ち弾性糸１１の入っていない部分が生じてしまう。従って、その弾性糸１１の縮みの分を考慮して、実際に製織、縫製で必要なコアヤーンの長さよりも長いコアヤーンを用意し、それに伴って、特に縫製の場合、その長さの分だけ余分な縫い代が必要であった。
しかしながら、本発明のコアヤーンを用いる場合、複数倍の延伸倍率で弾性糸１１を伸ばして生成されたコアヤーンであって、糸端を切断した場合であっても、周囲のカバーリング繊維との結束が強いので、弾性糸１１の収縮をカバーリング繊維が抑制するため、コアヤーン長手方向に縮む度合いを小さくすることができる。従って、前記リング精紡機により生成されたコアヤーンと異なり、余分なコアヤーンを減らし、縫製の場合における縫い代を余分に用意する必要がなくなるため、弾性糸１１の原料のコストダウンを図ることができる。
【００６６】
【発明の効果】
本発明は以上の如く構成したので、次のような効果を奏するものである。
【００６７】
請求項１に示す如く、繊維束をドラフトするドラフト装置と、繊維束にコア繊維としての弾性糸を供給する弾性糸供給装置と、弾性糸と繊維束とを導入しそれらに旋回空気流を作用させてコアヤーンを生成する空気紡績装置と、該空気紡績装置の下流側に配設される糸送り装置と、該糸送り装置から出たコアヤーンを巻き取る巻取装置と、紡出側のコアヤーンと巻取側のコアヤーンとを糸継ぎするための糸継装置と、を有するコアヤーン製造装置において、前記空気紡績装置から排出された糸を引き出して前記糸継装置に導くための引出装置と、該引出装置内の糸の存在を検出する検出装置と、該検出装置の検出結果に基づいて前記弾性糸供給装置による弾性糸の供給を制御する制御装置と、を備えたので、
引出装置内の糸の存在を確認した後、繊維束に対する弾性糸の供給を開始することができる。即ち、紡績開始時、ドラフト装置から出た繊維束が正常な紡績糸として空気紡績装置から排出されたことを確認した後、繊維束に対する弾性糸の供給を開始することができる。
このように、空気紡績装置を通して繊維束（紡績糸）が正常に走行している状態で弾性糸を合流させることにより、伸縮性の大きな弾性糸であっても繊維束（紡績糸）の走行に乗って空気紡績装置を通過するのである。
従って、弾性糸が空気紡績装置内に詰まるのを確実に防止できると共に、弾性糸を芯繊維とするコアヤーンの糸出し及び糸継ぎの確実な自動化が実現できる。
【００６８】
また、空気紡績装置を通して繊維束（紡績糸）が正常に走行していることを確認した後に弾性糸を合流させることにより、繊維束の糸出し（繊維束から紡績糸を生成して空気紡績装置から排出すること）が失敗した状態で弾性糸が供給されるのを防止できる。
従って、弾性糸のみが引出装置により引き出されて糸継装置に導かれ、巻取り側のコアヤーンと糸継ぎされることを防止できる。即ち、弾性糸のみの部分が巻取巻糸体（巻取パッケージ）に混入するのを防止できる。
【００６９】
更に、ドラフト装置（バックローラ）の駆動開始から所定時間の間に検出装置で紡績糸を検出しない場合、弾性糸の供給は行わずに直ちにドラフト装置（バックローラ）を停止させることにより、継続して供給させる繊維束がドラフトローラ（フロントローラ）に巻き付くのを防止できる。従って、復旧作業が短時間で行えるとともに、ドラフトローラの損傷を防止できる。
【００７０】
請求項２に示す如く、繊維束をドラフトするドラフト装置と、繊維束にコア繊維としての弾性糸を供給する弾性糸供給装置と、弾性糸と繊維束とを導入しそれらに旋回空気流を作用させてコアヤーンを生成する空気紡績装置と、該空気紡績装置の下流側に配設される糸送り装置と、該糸送り装置から出たコアヤーンを巻き取る巻取装置と、紡出側のコアヤーンと巻取側のコアヤーンとを糸継ぎするための糸継装置と、を有するコアヤーン製造装置において、前記空気紡績装置から排出された糸を引き出して前記糸継装置に導くための引出装置と、該引出装置により引き出された糸が前記糸送り装置による送り力を付与された状態で前記糸を検出する検出装置と、該検出装置の検出結果に基づいて前記弾性糸供給装置による弾性糸の供給を制御する制御装置と、を備えたので、
空気紡績装置から排出された糸が糸送り装置による送り力を付与された後、繊維束に対する弾性糸の供給を開始することが出来る。即ち、紡績開始時、ドラフト装置から出た繊維束が正常な紡績糸として空気紡績装置から排出され、更にその紡績糸が糸送り装置により強い送り力を付与されたことを確認した後、繊維束に対する弾性糸の供給を開始することができる。
このように、空気紡績装置から排出された紡績糸に糸送り装置が作用し、その意と送り装置による強い送り力が紡績糸に付与されている状態で弾性糸を合流させることにより、伸縮性の大きな弾性糸であっても繊維束（紡績糸）の走行に乗って空気紡績装置を確実に通過するのである。
従って、弾性糸が空気紡績装置内に詰まるのを確実に防止できると共に、弾性糸を芯繊維とするコアヤーンの糸出し及び糸継ぎの確実な自動化が実現できる。
【００７１】
また、空気紡績装置を通して繊維束（紡績糸）が正常に走行し、その紡績糸に対して糸送り装置による送り力が付与された後に弾性糸を合流させることにより、繊維束の糸出し（繊維束から紡績糸を生成して空気紡績装置から排出すること）が失敗した状態で弾性糸が供給されるのを防止できる。
従って、弾性糸のみが引出装置により引き出されて糸継装置に導かれ、巻取り側のコアヤーンと糸継ぎされることを防止できる。即ち、弾性糸のみの部分が巻取巻糸体（巻取パッケージ）に混入するのを防止できる。
【００７２】
請求項３に示す如く、前記引出装置は移動自在な吸引管であり、前記検出装置は、該吸引管の吸引経路内で前記紡績糸の有無を検出するように構成したので、
吸引管の移動により、紡績糸（繊維束のみによる紡績糸、あるいは、弾性糸まで入っている紡績糸）を糸継ぎのために引き出すことが簡単にでき、また、検出装置により、紡績糸を適正に引き出している状態を簡単にかつ確実に検出することができる。
【００７３】
請求項４に示す如く、前記弾性糸供給装置はエアサッカー装置とクランプカッター装置とを具備するとともに、前記制御装置は、弾性糸の供給を開始する際には、前記エアサッカー装置が作動してから所定時間経過後に、クランプカッター装置による弾性糸の把持を開放するように制御するので、
クランプカッター装置による把持状態の開放よりも、エアスレッティング用エアサッカー装置の吸引の開始を先に行うことにより、弾性糸の供給開始時の弛みを防止することができて、弾性糸が回転ローラ等に巻き付く等のトラブルを防止することできる。
【００７４】
請求項５に示す如く、前記弾性糸供給装置は、弾性糸の給糸巻糸体に接触して回転する繰出ローラを備え、前記制御装置は、弾性糸の供給を開始する際、クランプカッターによる弾性糸の把持開放と略同時に繰出ローラによる弾性糸の繰出しを開始するように制御するので、
エアスレッティング用エアサッカー装置を先に作動させてから弾性糸の供給を開始することとなるから、弾性糸を弛ませることなく確実に、クランプカッター装置や、繊維束との合流経路（前述の実施例では、フロントローラ９）に供給することができる。
【００７５】
請求項６に示す如く、前記空気紡績装置は、中空ガイド軸体と、該中空ガイド軸体の先端部に旋回空気流を発生させるノズル部材とを備え、中空ガイド軸体の糸通路に先端側から弾性糸及び繊維束を供給しながら、ノズルによる旋回空気流を作用させてコアヤーンを生成するので、
カバー性としごきに対する耐久性に優れたコアヤーンを高速に製造することが可能となったのである。特に、カバーリング繊維即ち繊維束として、綿１００％等の短繊維を用いるようにするのが有効である。
【図面の簡単な説明】
【図１】本発明のコアヤーンの紡績装置及び糸継台車を示す正面図。
【図２】図１の紡績装置及び糸継台車部分の拡大側面断面図。
【図３】紡績部とサクションノズルと糸継台車の部分の拡大側面図。
【図４】紡績部とサクションノズルと本発明の要部を示す俯瞰図。
【図５】本発明のコアヤーンの拡大図。
【図６】従来のコアヤーンの拡大図。
【図７】カバーリング繊維の巻付きの様子を示す斜視図。
【図８】本発明のコアヤーン紡績装置の制御ブロック線図。
【図９】本発明のコアヤーン紡績装置のタイミングチャート図。
【図１０】リング精紡機により生成されたコアヤーンと、カバーリング繊維をステープルファイバとして、従来の紡績方法または装置により製造されたコアヤーンと、カバーリング繊維を綿１００％として、本発明の製造方法により製造されたコアヤーンとにおける、コア繊維である弾性糸１１の延伸倍率−糸強力特性を示す図。
【図１１】コア繊維の供給部をモータ駆動とした実施例の本発明の要部を示す俯瞰図。
【図１２】中空ガイド軸体８０を付設した空気紡績装置１３の断面図。
【図１３】空気紡績装置１３での紡績時における繊維束５の挙動を示した断面図。
【図１４】中空ガイド軸体８０の詳細を示す拡大断面図。
【符号の説明】
Ｂ  ノズルブロック
１  ユニット
５  繊維束
６  ドラフト装置
７  バックローラ
８  ミドルローラ
９  フロントローラ
１０  弾性糸供給装置
１１  弾性糸
１２  コアヤーン
１３  空気紡績装置
１４  糸送りローラ（糸送り装置）
１５  パッケージ
１６  巻取装置
１７  スラブキャッチャ
２０  弾性糸パッケージ（給糸巻糸体）
２１  回転ローラ（繰出ローラ）
３３  クランプカッター装置
３９  糸継台車
４０  糸継部
４１  サクションノズル（吸引管）
４２  サクションマウス
５１  制御装置
５２  回動ボックス
５８  エアスレッティング用エアサッカー装置
６０  漏斗部
６３  カッター
６４  糸張力検出センサ
６６  サクションノズル内センサ（検出部）
８０  中空ガイド軸体
８２  糸排出用吸引流発生ノズル
８３  繊維導入孔
８５  ニードル
８６  空気紡績ノズル
【図１】
0003682583.tif 000002
【図２】
0003682583.tif 000003
【図３】
0003682583.tif 000004
【図４】
0003682583.tif 000005
【図５】
0003682583.tif 000006
【図６】
0003682583.tif 000007
【図７】
0003682583.tif 000008
【図８】
0003682583.tif 000009
【図９】
0003682583.tif 000010
【図１０】
0003682583.tif 000011
【図１１】
0003682583.tif 000012
【図１２】
0003682583.tif 000013
【図１３】
0003682583.tif 000014
【図１４】
0003682583.tif 000015